(57)【要約】【課題】カーテンの美観を損ねることなく、カーテンを閉じたときにできる窓側との間の空間と、カーテンで仕切られる内側の空間との通気性を遮断し、冬季の冷気や夏季の暖気の流通を遮断できるカーテン設備を提供する。【解決手段】通気性の小さいカーテン本体と窓枠との間に接続分離手段を設け、前記カーテン本体を窓枠に密着可能とした。また、窓枠１０に対面するカーテン本体２０の端縁部に前記窓枠１０とカーテン本体２０間の隙間寸法幅を有する突片部としてのマチ布２４を取付ける。そして、前記窓枠１０と前記マチ布２４との間に磁石プレートと磁性体金属などを利用した接続分離手段を設けた。【選択図】    図１
2010194153.tif 000002
【特許請求の範囲】
【請求項１】
通気性の小さいカーテン本体と窓枠との間に接続分離手段を設け、前記カーテン本体を窓枠に密着可能としたことを特徴とするカーテン設備。
【請求項２】
前記接続分離手段は前記窓枠に取り付けた磁石と前記カーテン本体に織り込んだ磁性金属繊維により構成したことを特徴とする請求項１に記載のカーテン設備。
【請求項３】
窓枠に対面するカーテン本体の端縁部に前記窓枠とカーテン本体間の隙間寸法幅を有する突片部を取付け、前記窓枠と前記突片部との間には接続分離手段を設けたことを特徴とするカーテン設備。
【請求項４】
窓枠に対面するカーテン本体の端縁部に前記窓枠とカーテン本体間の隙間寸法幅を有するマチ布を取付け、前記窓枠と前記マチ布との間には接続分離手段を設けたことを特徴とするカーテン設備。
【請求項５】
前記接続分離手段は前記窓枠に取り付けた磁石と、前記マチ布に設けた磁着体であることを特徴とする請求項３に記載のカーテン設備。
【請求項６】
前記カーテンは横開き方式であり、前記マチ布は少なくとも窓枠側縁に沿ったカーテン本体の側縁部に取り付けてあることを特徴とする請求項３に記載のカーテン設備。
【請求項７】
前記カーテンはロール方式であり、前記マチ布はカーテン本体の巻き終わり端部に沿ったカーテン本体の端縁部に取り付けてあることを特徴とする請求項３に記載のカーテン設備。
【請求項８】
前記カーテン本体を吊下げるレール機構部分にはカーテン本体と窓枠上縁部との隙間を埋める第２のマチ布を取り付けてあることを特徴とする請求項４または５に記載のカーテン設備。
【請求項９】
前記窓枠の下縁にはカーテン本体との隙間寸法を有する枕部材を取り付けてなることを特徴とする請求項３に記載のカーテン設備。
【請求項１０】
窓枠の上部に取り付けたロールカーテンの巻き終わり端を引き下げることにより窓を覆うようにしたカーテン設備であって、前記巻き終わり端にはカーテンと窓枠の隙間寸法を有する膨出部を設け、この膨出部と窓枠下縁との間に接続分離手段を設けたことを特徴とするカーテン設備。
【発明の詳細な説明】
【技術分野】
【０００１】
本発明はカーテン設備に係り、特に窓からの放射冷却により冷却された空気がカーテンで仕切られている室内側に入り込まないように考慮したカーテン設備に関する。
【背景技術】
【０００２】
一般家屋における窓は、窓枠にガラス窓を取り付けた上で、窓枠上部に取り付けたカーテンレールにカーテンを吊下げ、窓から入射する光を和らげ、あるいは遮光するようにしている。このカーテン設備では、横開き方式の場合には単一のカーテンを取り付ける場合もあるが、レースカーテンと遮光カーテンを併用した二重カーテン構造とすることが多い。また、ロール式カーテンの場合には、いわゆるシェードを巻き取ってこれを下に引き下げることでカーテン機能を発揮させるようにしている。
【０００３】
ところで、従来のカーテン設備では、横開き方式の場合、カーテンレールは窓枠上部から室内側に張り出したブラケットやレールボックスを介して取り付けられているため、カーテンを閉めたときでも、窓枠とカーテンとの間には隙間ができる。また、ロール式カーテンの場合でも、回転軸は窓枠より少なくともロール巻き取り半径以上は壁から離さなければならないので、やはりシェードを降ろしたときには、窓枠とシェードの間には隙間ができる。
【０００４】
このような隙間は、窓ガラスとカーテン間の空間と室内空間との間の通気路となり、例えば、冬季には夜間に窓ガラスからの放射冷却によって冷却された空気が前記隙間を通じて室内に流れ込み、室内温度を下げてしまう。また、夏季には輻射熱によって昇温した空気が室内温度を上昇させてしまう。
【０００５】
したがって、カーテン設備では、カーテンを閉めたときに、カーテンと窓ガラスとの間の空間からの空気が室内側に流れ込まないようにすることが省エネルギー的な面でも望ましい。
【０００６】
先行特許文献１には、網戸を面ファスナーにより窓枠に着脱自在に取り付けた構成例が示され、防虫網兼用のカーテンを窓枠に磁着させて網戸の代用とする例が示されている。
【先行技術文献】
【特許文献】
【０００７】
【特許文献１】特開２００４−１３７８７７号公報
【発明の概要】
【発明が解決しようとする課題】
【０００８】
しかし、先行特許文献１に開示のものは、カーテンそのものが網戸機能を持つものであるため、上述した冬季の冷気や夏季の暖気が室内側に流入することを阻止することができない。
【０００９】
本発明は、カーテンの美観を損ねることなく、カーテンを閉じたときにできる窓側との間の空間と、カーテンで仕切られる内側の空間との通気性を遮断し、冬季の冷気や夏季の暖気の流通を遮断できるカーテン設備を提供することを目的とする。また、更に、カーテン生地を直接窓枠に磁着させた場合に、カーテンに皺が寄ってしまい、カーテンの美観を損ねてしまうことのないカーテン設備を提供することを目的とする。
【課題を解決するための手段】
【００１０】
上記目的を達成するために、本発明に係るカーテン設備は、通気性の小さいカーテン本体と窓枠との間に接続分離手段を設け、前記カーテン本体を窓枠に密着可能としたことを特徴としている。前記接続分離手段は前記窓枠に取り付けた磁石と前記カーテン本体に織り込んだ磁性金属繊維により構成すればよい。
【００１１】
また、本発明に係るカーテン設備は、カーテンの窓枠に対面する部位にカーテン本体の端縁部に前記窓枠とカーテン間の隙間寸法幅を有する突片部を取付け、前記窓枠と前記突片部とには接続分離手段を設けたことを特徴とする構成とした。
【００１２】
本発明に係るカーテン設備は、カーテンの窓枠に対面する部位にカーテン本体の端縁部に前記窓枠とカーテン間の隙間寸法幅を有するマチ布を取付け、前記窓枠と前記マチ布とには接続分離手段を設けたことを特徴とする構成とした。
前記接続分離手段は前記窓枠に取り付けた磁石と、前記マチ布に設けた磁着体として構成すればよい。
【００１３】
前記カーテンを横開き方式とした場合、前記マチ布は少なくとも窓枠側縁に沿ったカーテン本体の側縁部に取付けるようにすればよい。
前記窓枠の下縁にはカーテン本体との隙間寸法を有する枕部材を取り付けてもよい。
【００１４】
また、前記カーテンをロール方式とした場合、前記マチ布はカーテン本体の巻き終わり端部に沿ったカーテン本体の端縁部に取り付けるようにすればよい。
前記カーテン本体を吊下げるレール機構部分にはカーテン本体と窓枠上縁部との隙間を埋める第２のマチ布を取り付けるようにすることができる。
【００１５】
また、窓枠の上部に取り付けたロールカーテンの巻き終わり端を引き下げることにより窓を覆うようにしたカーテン設備であって、前記巻き終わり端にはカーテンと窓枠の隙間寸法を有する膨出部を設け、この膨出部と窓枠下縁との間に接続分離手段を設けたことを特徴とするカーテン設備としてもよい。
【発明の効果】
【００１６】
本発明によれば、カーテンを閉めたときに、カーテン本体を窓枠に密着させることができるので、ガラス戸とカーテンとの間の空間と室内側との通気が低減されるので、室内側に放射冷却された空気などが流入することが抑制され、室内エアコンへの過度の負荷を掛けることがなくなる。また、カーテンと窓枠やガラス戸との間に形成される空間と室内との間の通気流路はマチ布や膨出部などの突片部によって遮断する構成とすることにより、ガラス戸からの放射冷却された空気や輻射熱で昇温した熱気が室内側に流入することを抑制することができ、省エネルギー効果の高いものとなる。しかも、遮蔽機能のための突片部によってカーテンの形態に影響を与えることが無いため、美観を損なうことがないという効果を発揮できる。
【図面の簡単な説明】
【００１７】
【図１】本実施形態に係るカーテン設備の説明用分解斜視図である。
【図２】同カーテン設備の側面図である。
【図３】第２実施形態に係るカーテン設備の斜視図である。
【図４】本実施形態に係るカーテン設備の説明用分解斜視図である。
【図５】同カーテン設備の要部斜視図である。
【図６】同カーテン設備の部分側面図である。
【図７】同カーテン設備の上縁部構成例の断面図である。
【図８】第２の実施形態に係るカーテン設備の斜視図である。
【図９】同カーテン設備の要部断面図である。
【図１０】第３の実施形態に係るカーテン設備の斜視図である。
【図１１】同カーテン設備の要部断面図である。
【発明を実施するための形態】
【００１８】
以下に、本発明に係るカーテン設備の実施形態を、図面を参照して、詳細に説明する。
図１−図２は第１実施形態に係るカーテン設備を示している。この実施形態は横開き式のカーテン設備に適用した例である。これらの図に示すように、建屋に設けられた窓枠１にガラス戸２が取り付けられ、このガラス戸２に対面して室内側にカーテン３を取り付けるようにしている。カーテン３を取り付けるために、窓枠１の上枠部分に沿ってポール型カーテンレール４（４Ａ，４Ｂ）が室内側に張り出すように取り付けられ、これらに窓側カーテン３Ａと、室内側の遮光カーテン３Ｂがそれぞれ吊下げられるようになっている。
【００１９】
各カーテン３（３Ａ，３Ｂ）は、左右一対のカーテン本体を有し、その上縁部に所定間隔をおいて複数のリング５を取り付けており、このリング５に前記ポール型カーテンレール４Ａ，４Ｂを通して吊下げられている。
【００２０】
このようなカーテン３のうち、通常、レースカーテンが用いられる窓側カーテン３Ａは、窓枠１との間で接合分離できるように構成されている。すなわち、窓枠１における両側縁の側枠部１Ｓに磁石テープ６を貼り付け、一方、窓側カーテン３Ａは磁着性のある金属繊維７を織り込んで制作し、両者が近接したときに窓側カーテン３Ａが窓枠１に磁着するようにしている。実施形態の場合、窓枠１の下枠部１Ｄにも磁石テープ６を取付け、カーテン下縁部分も窓枠１に磁着するようにして、通気路を遮断するようにしている。
【００２１】
上記構成のカーテン設備では、二重カーテンの内、窓側カーテン３Ａの周縁部が窓枠１に接合されることになり、これによって、ガラス戸２と窓側カーテン３Ａとの間の空間と、室内空間とが遮断されることになり、放射冷却された空気が室内側に流入することが抑制される。室内側の遮光カーテン３Ｂはそのまま吊下げられるので、窓側カーテン３Ａが窓枠１に吸着しても吸着部分は隠されるので、美観を損なうことはない。
【００２２】
上記実施形態の場合、窓側カーテン３Ａは通気性が無いカーテン生地が望ましいが、通気性があってもカーテン生地表面で空気の流れ方向を変えることができる程度の通気性が小さい（通気抵抗が大きい）ものであればよい。また、磁石テープ６に代えてテープ構造以外の棒状のもの、あるいは小型磁石を配列したものでもよい。また、磁石以外に、面ファスナーを用いる構成とすることもできる。
【００２３】
次に、図３には、ロール式カーテンに適用した第２実施形態を示している。
ロール式カーテン７は、窓枠１の上枠部と平行になるようにブラケット８を介してカーテンロールを取付けたものである。カーテンロールは巻取り軸となる回転軸９にカーテン本体であるシェード１１を巻き取ってロール状とし、巻き終わり端部を下に引き出すことで窓を遮蔽する。回転軸９はシェード巻取り方向にスプリングにより付勢されて巻取りが可能となっているとともに、シェード１１の引き出し停止位置で止めることができるようになっている。また、シェード１１の巻き終わり端縁には棒材１３が取り付けられ、また棒材１３に連結された引出リング１５が設けられている。
【００２４】
このようなロール式カーテン７の場合も、その構造上、回転軸９が窓枠１の面から隙間Ｔ(図６参照)だけ離れ、かつ、その隙間はシェード１１が最大に引き出された場合に最大寸法となる。この隙間はシェード１１とガラス戸２との間の空間と室内との空気の通気路となる。
【００２５】
そこで、この第２実施形態では、第１実施形態の場合と同様に、窓枠１の両側縁の側枠部１Ｓと下枠部１Ｄに磁石テープ６を貼り付け、一方、シェード１１を磁着性のある金属繊維７を織り込んで制作し、両者が近接したときにシェード１１が窓枠１に磁着するようにしている。実施形態の場合、窓枠１の下枠部１Ｄにだけ磁石テープ６を取付け、カーテン下縁部分を窓枠１に磁着するようにしてもよい。
このように構成することで、シェード１１と窓枠１１の間に形成される通気路が遮断され、冬季の冷気や夏季の熱気が室内に流れ込むことを抑制できるようになっている。
【００２６】
図４−図６は第３実施形態に係るカーテン設備を示している。この実施形態は横開き式のカーテン設備に適用した例である。これらの図に示すように、建屋に設けられた窓枠１０にガラス戸１２が取り付けられ、このガラス戸１２に対面して室内側にカーテン１４を取り付けるようにしている。カーテン１４を取り付けるために、窓枠１０の上枠部分に沿ってカーテンレール１６が室内側に張り出すように取り付けられ、図３に示すように、レール部１７とカーテン１４を移動させるためのランナー１８、このランナー１８がレール部１７から脱落することを防止するためのレール部１７の端部に取り付けてあるストッパ(図示せず)などから構成される。レール部１７がポールからなっている場合は、ランナー１８にはリングが用いられる。カーテンレール１４の長さは、窓枠１０の幅寸法よりは大きく設定され、カーテン１４を閉めたときの遮蔽面積は窓枠１０よりは大きくなるように設定されている。
【００２７】
一方、カーテン１４は、直接ガラス戸１２に対面する一対のカーテン本体２０を有し、その上縁部に所定間隔をおいて複数のフック２２を取り付けており、このフック２２を前記ランナー１８に係合することで、カーテンレール１６に吊下げている。このようなカーテン１４は、実施形態の場合、一対のカーテン本体２０で窓部の左右を覆うようにしており、カーテン本体２０の各外端上部のフック２２がカーテンレール１６のストッパ部分に掛けるようにして動かないようにし、カーテン１４の中央で左右にカーテン本体２０を開閉移動させるようにしている。
【００２８】
このようなカーテン設備において、本実施形態では、各カーテン本体２０の側端縁部に前記窓枠１０とカーテン本体２０間の隙間を埋める突片部を設けたものである。この実施形態では、突片部として、帯状のマチ布２４を取付けて構成している。このマチ布２４は、前記窓枠１０とカーテン本体２０との離間寸法Ｔ（図３参照）の幅を有し、長さはカーテン本体２０の縦寸法と同じ寸法となる帯状のものであり、カーテン生地と同一のものを用いることが望ましい。そして、このマチ布２４は、カーテン１４を閉めた状態で、カーテン本体２０の側端縁部において窓枠１０の縦枠部に対面する位置となるように若干カーテン本体２０の外側縁より内側に配置され、カーテン本体２０にＴ字形に縫いこまれて一体とされている。この場合、マチ布２４の縫いつけ位置は、カーテンフック２２が取り付けられる位置が望ましい。これはカーテンレール１６に吊下げたときに、マチ布２４の重さによりカーテン１４に部分的に皺が寄ったり、歪んだ形態で吊下げられないようにして、カーテン１４の美観を損ねないようにするためである。
【００２９】
また、上記マチ布２４の少なくとも先端縁部と、窓枠１０の左右両側の縦枠部との間で、マチ布２４が縦枠部に接続あるいは分離ができる手段２６が講じられている。この実施形態では接続分離手段２６として、磁着力を用いるようにしており、このため、窓枠１０の縦枠部に磁石プレート２８を貼り付け、一方のマチ布２４の少なくとも先端縁部には磁着体としての磁性体からなる金属を内包させて構成されている。金属としてはマチ布２４を製作するときに金属繊維（図示せず）を織り込んで形成すればよく、マチ布２４の特に先端縁部に縫いこまれるように製作することが望ましい。あるいは、細い金属棒をマチ布２４の先端部に差し込むことができるようにしておき、金属棒を先端に内包させるようにしてもよい。そして、金属棒を取り外すことができるようにしておくことで、カーテン１４の洗濯や折り畳み収容する場合などの際の障害になることがなくなる。また、他の接続分離手段２６として、窓枠１０の縦枠側とマチ布２４の先端縁部に面ファスナーを取付け、連結分離ができるようにしてもよい。その他の任意の接続分離ができる態様を採用することができる。
【００３０】
このように構成されたカーテン設備は、カーテン１４をカーテンレール１６に吊下げた状態において、カーテン本体２０の端部に設けたマチ布２４は、窓枠１０の縦枠に予め取り付けておいた磁石プレート２８に先端が吸着され、これによって、図５，６に示されるように、カーテン１４とガラス戸１２との間に形成された空間３０と室内側との通気が遮断される。カーテン１４の長さが床面に達するものであれば、少なくとも前記空間３０の三方が遮断されることになる。これにより、例えば冬季に窓ガラスからの放射冷却によって前記空間３０の空気が冷やされた場合でも、冷気が室内側に通流することを可及的に少なくできる。したがって、室内暖房の負荷を小さくすることができ、省エネルギー効果を発揮させることができる。
【００３１】
更に、後述するように（図１０，１１）、窓枠１０の下枠部分にカーテン本体２０の下縁部分が接する枕部を取り付けるようにしてもよい。
図７は、上記実施形態において、カーテン１４とガラス戸１２との間に形成された空間３０の上部開口部も遮断するようにした例である。これは、図示のように、カーテンレール１６のレール部１７と、このレール部１７を支える支持フレーム１９との間に上部カバー３２を取り付けている。この上部カバー３２はカーテンレール１６の全長に亘る長さを有する弾力性のある帯部材により形成し、その幅寸法は、窓枠１０の上枠に先端を密着させ、かつ、カーテン１４のフック部分の前部開口を覆うような寸法となるように設定している。このようにすることで、特に夏季において、空間３０内の空気が熱せられているような場合、上部開口から室内に流出する空気の遮断を行うことができ、これによって夏季の室内における冷房負荷を小さくすることができる。
【００３２】
次に、図８−図９には第４実施形態に係るカーテン設備であって、ロール式カーテンに適用した例である。ロール式カーテン３４は、窓枠１０の上枠部と平行になるようにブラケット３６を介してカーテンロールを取付けたものである。カーテンロールは巻取り軸となる回転軸４０にカーテン本体であるシェード３８を巻き取ってロール状とし、巻き終わり端部を下に引き出すことで窓を遮蔽する。回転軸４０はシェード巻取り方向にスプリングにより付勢されて巻取りが可能となっているとともに、シェード３８の引き出し停止位置で留めることができるようになっている。また、シェード３８の巻き終わり端縁には棒材４２が取り付けられ、また棒材４２に連結された引出リング４４が設けられている。
【００３３】
このようなロール式カーテン３４の場合も、その構造上、回転軸４０が窓枠１０の面から隙間Ｔ(図９参照)だけ離れ、かつ、その隙間はシェード３８が最大に引き出された場合に最大寸法となる。この隙間はシェード３８とガラス戸１２との間の空間３０と室内との空気の通気路となる。
【００３４】
そこで、この第４実施形態では、シェード３８の巻き終わり端部に沿った裏面側（窓側）の端縁部であって、前記棒材４０の直上部にこれと平行にマチ布４６を取り付けるとともに、マチ布４６の先端が窓枠１０の下枠に吸着して、通気路を遮断できるようにしている。このため、窓枠１０の下枠表面に磁石プレート２８を貼り付け、他方、マチ布４２には前記第３実施形態と同様に、磁性体の金属繊維を織り込むか、金属棒を取り付けるようにして、磁石プレート２８との間で接続分離ができるようにしている。
【００３５】
このような第４実施形態の場合でも、シェード３８の下部に形成される通気路が遮断され、冬季の冷気や夏季の熱気が室内に流れ込むことを抑制できるようになっている。もちろん、当該第４実施形態の場合でも、第３実施形態と同様に、空間３０の側部を遮蔽するようにシェード３８の側縁に沿ってマチ布２４を取り付けるようにしてもよい。
【００３６】
図１０−図１１には第５実施形態を示す。これは第４実施形態の場合のマチ布４６の代わりに、前記隙間Ｔを埋めるように、膨出部としての枕部４８を同じ位置に取付け、通気路を遮蔽するようにした例である。この枕部４８はシェード３８の巻き終わり端に袋部５０を形成し、その内部に弾力性のある円筒チューブ５２を内蔵させた構造とされている。枕部４８若しくは円筒チューブ５２側に磁着体を設け、窓枠１０の下枠には磁石プレート２８を貼り付けておくのは第４実施形態と同様である。前記枕部４８は、シェード３８と窓枠１０の隙間寸法Ｔを有するものとし、シェード３８を降ろしたときに、窓枠１０の下枠の磁石プレート２８に吸着し、通気路遮蔽機能を発揮できる。
なお、円筒チューブ５２に代えてスポンジ状の弾力性のある柱状体を用いてもよい。また、円筒に限らず、多角形断面など適宜形態とすることができる。
【符号の説明】
【００３７】
１………窓枠、２………ガラス戸、３………カーテン、３Ａ………窓側カーテン、３Ｂ………室内側カーテン、４（４Ａ，４Ｂ）………ポール型カーテンレール、５………リング、６………磁石テープ、７………ロール式カーテン、８………ブラケット、９………回転軸、１１………シェード、１３………棒材、１５………引出リング、１０………窓枠、１２………ガラス戸、１４………カーテン、１６………カーテンレール、１７………レール部、１８………ランナー、１９………支持フレーム、２０………カーテン本体、２２………フック、２４………マチ布、２６………接続分離手段、２８………磁石プレート、３０………空間、３２………上部カバー、３４………ロール式カーテン、３６………ブラケット、３８………シェード、４０………回転軸、４２………棒材、４４………引出リング、４６………マチ布、４８………枕部、５０………袋部、５２………円筒チューブ。
【図１】
2010194153.tif 000003
【図２】
2010194153.tif 000004
【図３】
2010194153.tif 000005
【図４】
2010194153.tif 000006
【図５】
2010194153.tif 000007
【図６】
2010194153.tif 000008
【図７】
2010194153.tif 000009
【図８】
2010194153.tif 000010
【図９】
2010194153.tif 000011
【図１０】
2010194153.tif 000012
【図１１】
2010194153.tif 000013